(57)【要約】【課題】本発明が解決しようとする課題は、例え初めて手にした人であっても、すぐに使用できるようにして、また、引く力を微妙に調整することもなく、長時間使用しても疲れの少ない、使用者にとってやさしい、使い勝手の良い塗膜転写具を提供することである。【解決手段】本発明の塗膜転写具は、転写ヘッドの剥離部稜線と直交する転写ヘッドの中心軸が繰出しリールの回転平面に対して傾斜している配置であって、転写ヘッドが塗膜転写具のケースから突設しており、繰出しリールから繰り出された転写テープは、捻転し傾斜して転写ヘッドへ導かれ、転写ヘッドの剥離部稜線にて塗膜が剥離し転写された後のテープ基材は、傾斜し捻転して巻取りリールへ導かれていることを主要な特徴とするものである。【選択図】図７
2008290257.tif 000002
【特許請求の範囲】
【請求項１】
少なくとも、転写テープ、繰出しリール、転写ヘッド、巻取りリールからなり、転写テープはテープ基材上に塗膜が形成されたものであり、その転写テープが繰出しリールから繰り出され、転写ヘッドの剥離部稜線にて転写テープの塗膜が剥離し転写され、塗膜剥離後のテープ基材が巻取りリールに巻き取られるように構成されている塗膜転写具において、転写ヘッドの剥離部稜線と直交する転写ヘッドの中心軸が繰出しリールの回転平面に対して傾斜している配置であって、転写ヘッドが塗膜転写具のケースから突設しており、繰出しリールから繰り出された転写テープは、捻転し傾斜して転写ヘッドへ導かれ、転写ヘッドの剥離部稜線にて塗膜が剥離し転写された後のテープ基材は、傾斜し捻転して巻取りリールへ導かれていることを特徴とする塗膜転写具。
【請求項２】
繰出しリールと転写ヘッドの間において、転写テープの捻転前における転写テープの幅方向の中点と、転写テープの捻転後における転写テープの幅方向の中点とを結んだ中央線が、繰出しリールの回転平面内にあり、かつ、転写ヘッドの中心軸を含む、繰出しリールの回転平面に対して垂直な平面内にあるように、転写テープと繰出しリールと転写ヘッドを配置していることを特徴とする請求項１に記載の塗膜転写具。
【請求項３】
繰出しリールと転写ヘッドの間において、少なくとも２つのガイドローラを直交する空間位置関係に配置して、転写テープを９０度捻転させる構成であり、かつ、転写ヘッドと巻取りリールの間において、少なくとも２つのガイドピンを直交する空間位置関係に配置して、塗膜剥離後のテープ基材を９０度捻転させる構成であることを特徴とする請求項１及び２に記載の塗膜転写具。
【請求項４】
繰出しリールと転写ヘッドの間に配置した２つのガイドローラに対しては、転写テープの塗膜面が接しており、転写ヘッドと巻取りリールとの間に配置した２つのガイドピンに対しては、塗膜剥離後の面とは反対のテープ基材背面が接していることを特徴とする請求項３に記載の塗膜転写具。
【請求項５】
繰出しリールの回転平面に対する転写ヘッドの中心軸の傾斜角度が、２０〜７０度の範囲であることを特徴とする請求項１から４までに記載の塗膜転写具。
【発明の詳細な説明】
【技術分野】
【０００１】
本発明は、テープ基材上に形成された塗膜を圧力で転写するために用いる塗膜転写具に関するものである。
【背景技術】
【０００２】
テープ基材上に形成された塗膜を圧力で転写する塗膜転写具は、数多く商品化されている。このような塗膜転写具は、転写テープが繰出しリールから繰り出され、転写ヘッドの剥離部稜線にて転写テープの塗膜が圧力により剥離し転写され、塗膜剥離後のテープ基材が巻取りリールに巻き取られる構成である（特許第２６３９６０６号公報）。
【０００３】
テープ基材上に形成された塗膜としては、誤字を修正するためのもの（いわゆる『修正テープ』）（特許第２６３９６０６号公報）、文字を強調するための透明な蛍光色のもの（特許第３５８１９９４号公報、特許第３６６９４４９号公報）、物を貼り付けるための粘着剤（のり）であるもの（いわゆる『テープのり』）（特開２００１−１９２６２５号公報）、塗膜に文字や絵柄などを施したもの（特開２００５−０１７９４７号公報）、のりの塗膜に文字や絵柄などを施したもの（特開２００６−３３５５１７号公報、特開２００７−１０６０１４号公報）、また、これらの塗膜に香りを施したもの（特願２００６−１４０１４６号公報、特願２００６−２４９４６５号公報）などがある。
【０００４】
商品化されている塗膜転写具では、転写ヘッドの剥離部稜線と直交する転写ヘッドの中心軸が繰出しリールの回転平面内に配置されているものが、ほとんどである。この代表的な例として、特許第２６３９６０６号公報の図１のような塗膜転写具がある。この場合、図の紙面が繰出しリールの回転平面となる。転写ヘッドの剥離部稜線は図の紙面に対して直角（特許第２６３９６０６号公報の図１では先端加圧部５１ａ）であり、転写ヘッドの剥離部稜線と直交する転写ヘッドの中心軸は図の紙面上にある。このように、転写ヘッドの剥離部稜線と直交する転写ヘッドの中心軸が繰出しリールの回転平面内に配置されている。
【０００５】
この例は、転写ヘッドの剥離部稜線が、繰出しリールの回転平面に対して直角配置であるが、繰出しリールの回転平面内（平行配置）であるものも商品としてある。特許第２６３９６０６号公報の図３のような転写ヘッドを持つ塗膜転写具がそれにあたる。図の紙面が繰出しリールの回転平面となり、その平面内に転写ヘッドの剥離部稜線（特許第２６３９６０６号公報の図３では先端加圧部５１ａ）があり、繰出しリールの回転平面に対して平行配置である。
【０００６】
繰出しリールの回転平面に対して、これらの直角配置や平行配置といった固定した配置だけでなく、転写ヘッドの中心軸を繰出しリール回転平面内に配置したまま、回転機構を取り入れ、転写ヘッドの中心軸の周りに直角配置や平行配置といった配置を含んだ角度調節を可能にしたものもある（特許第２８２９６９９号公報）。
【０００７】
また、転写ヘッドの中心軸をリール回転平面内ではなく、特開平１０−３０９８９２号公報のように、リール回転平面と垂直に配置したものも考えられている。この公報では、転写テープをリール回転平面から垂直に捻転させて、転写ヘッドの剥離部稜線（この公報での表現では接触線）が塗膜転写具のケース長手方向に向いているものである。しかしこの捻転では、転写テープをリール回転平面から垂直に捻転させているので、転写前に転写テープの塗膜がはがれやすくなるという問題が起こり、商品化には向いていなかった。
【０００８】
これらの工夫は偏に、塗膜転写具を、横書き文字には横方向となる左右方向へ引くことができるよう、縦書き文字には縦方向となる上下方向へ引くことができるように工夫したものである。しかしながら、塗膜転写具は転写ヘッドだけを被転写面に接触させるものであり、それゆえ、塗膜転写具のケースの面積が大きな面を指で挟むような持ち方、つまり鉛筆や箸を持つような持ち方で、転写ヘッドだけを被転写面に接触させて転写させる使用方法である。そのため、左右方向であれ、上下方向であれ、どのような方向であれ、使用者が、鉛筆や箸を持つような持ち方で塗膜転写具を持って、引く力を微妙に調整して、塗膜を転写させなければならない。
【０００９】
このような微妙な調節をしなくても引くことができるように、特開２００５−０６７１５３号公報のように、塗膜転写具に接地部を設けたものも商品化されている。これにより、使用者が引く力を微妙に調整することなく、塗膜転写具を使用することが可能になったとされていた。
【特許文献１】特許第２６３９６０６号公報
【特許文献２】特許第３５８１９９４号公報
【特許文献３】特許第３６６９４４９号公報
【特許文献４】特開２００１−１９２６２５号公報
【特許文献５】特開２００５−０１７９４７号公報
【特許文献６】特開２００６−３３５５１７号公報
【特許文献７】特開２００７−１０６０１４号公報
【特許文献８】特願２００６−１４０１４６号公報
【特許文献９】特願２００６−２４９４６５号公報
【特許文献１０】特許第２８２９６９９号公報
【特許文献１１】特開平１０−３０９８９２号公報
【特許文献１２】特開２００５−０６７１５３号公報
【発明の開示】
【発明が解決しようとする課題】
【００１０】
特開２００５−０６７１５３号公報のように接地部を設けたものであっても、ケースの面積が大きな面を指で挟むような持ち方であることには変わらず、つまりは鉛筆や箸を持つような持ち方で使用するものである。このような使用方法は、実のところ、練習や慣れが必要である。これは、箸を使ったことのない人が、箸を使うことができるようになるまで、かなりの練習や慣れが必要であることから、想像に難くないだろう。塗膜転写具を、例え初めて手にした人であっても、練習や慣れの必要がなく、誰からも教えられることなく、すぐに使用してもらえるような形状にすることは、開発者として長年の課題であった。またそのような形状であれば、引く力を微妙に調整することもなく、それゆえ長時間使用しても疲れの少ない、使用者にとってやさしい、使い勝手の良い商品となるものと考えていた。
【００１１】
本発明が解決しようとする課題は、例え初めて手にした人であっても、すぐに使用できるようにして、また、引く力を微妙に調整することもなく、長時間使用しても疲れの少ない、使用者にとってやさしい、使い勝手の良い塗膜転写具を提供することである。
【課題を解決するための手段】
【００１２】
この課題を解決するにあたり、コンピュータの入力装置である『マウス』を参考にした。『マウス』は、上から軽く握るような持ち方であり、このような持ち方であれば、例え初めて手にした人であっても、練習や慣れの必要がなく、すぐに使用できるであろう。また、長時間使用しても疲れの少ない、使用者にとってやさしい、使い勝手の良い形状になるだろうと考えた。そこで、このような形状に近くなるような塗膜転写具の新しい構成を研究した。
【００１３】
これまでの鉛筆や箸を持つような持ち方になっていた理由は、塗膜転写具のケースの面積が大きな面が被転写面に対して垂直に位置していたからである。そのため、その面積が大きな面を指で挟むような持ち方になっていた。特開２００５−０６７１５３号公報のように接地部を設けたものでも、『マウス』のように上から握るような持ち方はできないわけではないが、上から握るような持ち方をすれば、肘まで上に上がってしまい、非常に疲れる使いにくい持ち方になってしまう。
【００１４】
このような不自然な持ち方でもなく、また、鉛筆や箸を持つような持ち方でもなく、『マウス』のように上から軽く握るような持ち方にするためには、塗膜転写具のケースの面積が大きな面が被転写面に対してほぼ平行に位置させる必要があった。
【００１５】
特開平１０−３０９８９２号公報のように、転写ヘッドの中心軸をリール回転平面内ではなく、リール回転平面と垂直に配置した構成であれば、形状としては条件を満たすが、この構成では、転写テープをリール回転平面から垂直に捻転させる必要があり、転写前に転写テープの塗膜がはがれやすくなるという問題が起こり、商品化に向いていない。
【００１６】
そこで、塗膜転写具のケースの面積が大きな面が被転写面に対してほぼ平行に位置させながら、転写前に転写テープの塗膜がはがれることなく、安定して転写できる構成を見出した。この本発明の着眼点は、転写ヘッドの剥離部稜線が、繰出しリールの回転平面に対して、直角配置や平行配置にしたりするのでも、角度調節を可能にするものでもなく、また、転写ヘッドの中心軸を繰出しリールの回転平面に対して、垂直に配置するものでもなく、転写ヘッドの中心軸を繰出しリールの回転平面に対して、傾斜させた点である。このような転写ヘッドを傾斜させた構成であり、かつ、安定して転写できる塗膜転写具の構成を見出したことが本発明であり、課題の解決となった。
【００１７】
すなわち本発明の塗膜転写具は、転写ヘッドの剥離部稜線と直交する転写ヘッドの中心軸が繰出しリールの回転平面に対して傾斜している配置であって、転写ヘッドが塗膜転写具のケースから突設しており、繰出しリールから繰り出された転写テープは、捻転し傾斜して転写ヘッドへ導かれ、転写ヘッドの剥離部稜線にて塗膜が剥離し転写された後のテープ基材は、傾斜し捻転して巻取りリールへ導かれていることを主要な特徴とするものである。
【発明の効果】
【００１８】
本発明により、これまでの塗膜転写具とは持ち方が異なり、コンピュータの入力装置である『マウス』のように上から軽く握るような持ち方が可能となり、例え初めて手にした人であっても、練習や慣れの必要がなく、誰からも教えられることなく、すぐに使用でき、また、長時間使用しても疲れの少ない、使用者にとってやさしい、使い勝手の良い商品となったものである。
【発明を実施するための最良の形態】
【００１９】
以下実施例にて、本発明の特徴を説明する。なお、実施例１にて請求項１の特徴を、実施例２にて請求項２の特徴を、実施例３にて請求項３と４と５の特徴を主に説明する。
【実施例１】
【００２０】
本発明の特徴を持った塗膜転写具の例を、図１は斜め上方より表わしたものであり、図２は斜め下方より表わしたものである。なおここでは、本発明の特徴を説明するために塗膜転写具の例として、ケース１を直方体で表わしているが、これに限定するものではない。実際の商品化するにあたっては、コンピュータの入力装置である『マウス』のような丸みと膨らみを持たせた形状も考えられ、これを含めて、様々な形状が考えられる。またこれらの図は、直方体ケース１の面積が大きな面に転写ヘッド１２を突設させるためのケース穴２を開けており、そこから転写ヘッド１２が突設している例であるが、転写ヘッド１２を突設させる部分はこれに限定するものではない。ケースの形状により、様々な部分で突設させることができよう。
【００２１】
図１において、Ａから見た方向を正面、Ｂから見た方向を横、Ｃから見た方向を上として区別し、説明のために用いる。
【００２２】
使用方法としては、被転写物に転写ヘッド１２を密着させたまま、ケース１を引くことにより、転写テープ１４の塗膜を被転写物へ転写する方法である。図２では、転写ヘッド１２の剥離部稜線を境にして、塗膜のある転写テープ１４と塗膜剥離後のテープ基材１６とを区別して表わしている。使用方法としてこれまでと大きく異なるところは、『マウス』のように、上から軽く握るような持ち方ができるところである。これにより、例え初めて手にした人であっても、練習や慣れの必要がなく、誰からも教えられることなく、自由自在に動かすことができ、横書き文字にも、縦書き文字にも使用できる。
【００２３】
図３は、本発明の主要な構成を表わした図であり、繰出しリール１１、転写テープ、２つのテープガイド、転写ヘッド１２、巻取りリール１３を表わしている。この図３でのテープガイドは、繰出しリール１１と転写ヘッド１２の間においてはガイドローラ１８であり、転写ヘッド１２と巻取りリール１３の間においてはガイドピン１９である。なお、これら以外の塗膜転写具に通常使用される部材、例えば、転写ヘッドや他の部材を支える支持部や２つのリールの連動部などは省略している。
【００２４】
繰出しリール１１から繰り出された転写テープ１４は、繰出しリール１１からガイドローラ１８までの間で捻転し、テープ面がねじれてテープ面が変わり、転写テープ背面１５が図３上に現れ、ガイドローラ１８にて傾斜して、転写ヘッド１２へ導かれている。
【００２５】
転写テープやテープ基材が捻転するとは、テープ面がねじれてテープ面が変わることであり、転写テープやテープ基材が傾斜するとは、テープ面の傾きが変わることである。図においては、捻転がわかりやすいように、転写テープの塗膜のある面を転写テープ１４として、それとは反対の面を転写テープ背面１５として区別し、また、転写テープの塗膜剥離後の面をテープ基材１６として、それとは反対の面をテープ基材背面１７として区別し、さらに、転写テープ背面１５とテープ基材背面１７は網点模様で表わしている。
【００２６】
転写ヘッド１２にて塗膜が剥離し転写された後のテープ基材１６は、ガイドピン１９にて傾斜して、ガイドピン１９から巻取りリール１３の間で捻転し、テープ面がねじれてテープ面が変わり、テープ基材背面１７が図３上に現れ、巻取りリール１３へ導かれている。
【００２７】
転写ヘッド１２の剥離部稜線と直交する転写ヘッド１２の中心軸は、繰出しリール１１の回転平面に対して傾斜している構成であるが、これらを図４と図５で説明する。
【００２８】
図４は、転写ヘッド１２の中心軸３を説明している図である。図４中央の（３）は、図３の転写ヘッド１２だけを図３と同じ方向から表わしたものであり、これに対して、図４左側の（Ａ）は、正面（図１においてＡから見た方向）から表わしたものであり、図４右側の（Ｂ）は、横（図１においてＢから見た方向）から表わしたものである。ここで破線が、転写ヘッド１２の中心軸３を示している。図４（Ａ）や図４（Ｂ）のように、転写ヘッド１２の中心軸３は転写ヘッド１２の剥離部稜線６と直交している。
【００２９】
なお図４では、転写ヘッド１２の中心軸３は、転写ヘッド１２の剥離部稜線６の中点にあり、さらに、転写ヘッド１２の転写ヘッド支軸７の中心を貫いている例であるが、この形状の転写ヘッドに本発明は限定するものではない。本発明の要点となる要素は、転写ヘッド１２の中心軸３が転写ヘッド１２の剥離部稜線６と直交していることである。
【００３０】
図５は、塗膜転写具のケース１の内部である図３における本発明の主要な構成を、図１における塗膜転写具のケース１の枠と共に、横（図１においてＢから見た方向）から表わしたものである。
【００３１】
図５においても、図３の説明と同じになるが、繰出しリール１１から繰り出された転写テープ１４は、繰出しリール１１からガイドローラ１８までの間で捻転し、ガイドローラ１８にて傾斜して、転写ヘッド１２に導かれている。転写ヘッド１２の剥離部稜線６にて転写テープ１４の塗膜が剥離し転写された後のテープ基材は、ガイドピン１９にて傾斜して、ガイドピン１９から巻取りリール１３の間で捻転して、図面上ではテープ基材背面１７が現れ、巻取りリール１３へ導かれている。
【００３２】
図５では、巻取りリール１３が繰出しリール１１より図面上の手前にあるので、繰出しリール１１からガイドローラ１８までの間における転写テープ１４の捻転は、ガイドピン１９から巻取りリール１３までの間におけるテープ基材背面１７の捻転の背後に、ほとんど隠れている。
【００３３】
繰出しリール１１の回転平面４とは、リールが回転している面のことであり、図５における一点破線が、繰出しリール１１の回転平面４を仮想的に示している。繰出しリール１１の回転平面４は、図５におけるこの部分に限定されるものではないので、ここでは仮想的に示しているにすぎない。また、転写ヘッド１２上の破線は、図４と同じく、転写ヘッド１２の中心軸３を示している。この一点破線と破線とに傾きがあることが、転写ヘッド１２の中心軸３が繰出しリール１１の回転平面４に対して傾斜していることを示している。なおこの傾きが、本発明における傾斜角度８であり、図５において、実線円弧で示している。
【００３４】
図５では、繰出しリール１１の回転平面４と巻取りリール１３の回転平面とが同一平面にある構成であるが、繰出しリール１１の回転平面４と巻取りリール１３の回転平面が同一平面にない構成の場合もありえる。
【００３５】
以上のように、転写ヘッド１２の剥離部稜線６と直交する転写ヘッド１２の中心軸３が繰出しリール１１の回転平面４に対して傾斜している配置であって、転写ヘッド１２が塗膜転写具のケース１から突設している。
【００３６】
図１と図２に表わしているように、転写ヘッド１２がケース１の面積が大きな面から突設しており、これまでの塗膜転写具とは異なり、塗膜転写具のケースの面積が大きな面が被転写面に対してほぼ平行に位置している。このような位置になることで、本発明である塗膜転写具は、『マウス』のような持ち方になり、つまり、塗膜転写具を上から軽く握るような持ち方となり、『マウス』を動かすように、この塗膜転写具を動かすことが可能になり、例え初めて手にした人であっても、練習や慣れの必要がなく、誰からも教えられることなく、すぐに使用することができるものである。
【実施例２】
【００３７】
上記が主要な構成であるが、転写テープが捻転しているせいなのか、安定して動かないことがたまに起こることがあった。そこで、このように転写テープが捻転していても、安定して転写テープが動き、さらに、安定した転写ができる構成を見出したので、次にそれを説明する。
【００３８】
図６は、塗膜転写具のケース１の内部である図３における本発明の主要な構成を、図１における塗膜転写具のケース１の枠と共に、上（図１においてＣの方向）から表わしたものである。
【００３９】
図６は、繰出しリール１１と転写ヘッド１２の間において、転写テープの捻転前における転写テープの幅方向の中点と、転写テープの捻転後における転写テープの幅方向の中点とを結んだ中央線５が、繰出しリール１１の回転平面内にあり、かつ、転写ヘッド１２の中心軸を含む、繰出しリール１１の回転平面に対して垂直な平面内にあるように、転写テープと繰出しリール１１と転写ヘッド１２を配置しているものである。
【００４０】
なお図６において、繰出しリール１１の回転平面は図６と同一面上になり、転写ヘッド１２の中心軸を含む、繰出しリール１１の回転平面に対して垂直な平面は、転写テープの捻転前後の中点を結んだ中央線５（二点破線）と同一である。
【００４１】
図６での転写テープの捻転前とは、繰出しリール１１から転写テープが離れた始めた部分のことであり、図６での転写テープの捻転後とは、ガイドローラ１８に転写テープが触れ始めた部分のことである。図面上では転写テープ背面１５が、繰出しリール１１から離れ、ガイドローラ１８に触れている。
【００４２】
図６と同じ構成で図５においても表わしており、図６における中央線５は、図５において繰出しリール１１を横切っている一点破線４と同一である。それゆえ、中央線５は、転写テープが離れた始めた繰出しリール１１における転写テープの幅方向の中点（転写テープの捻転前における転写テープの幅方向の中点）を含んでいる。
【００４３】
また、図６では、捻転後のガイドローラ１８に転写テープが触れ始めた部分は、塗膜剥離後のテープ基材１６の背後に、ほとんど隠れている。それゆえ、図６ではわかりにくいが、中央線５は、転写テープが触れ始めたガイドローラ１８における転写テープの幅方向の中点（転写テープの捻転後における転写テープの幅方向の中点）を含んでいる。
【００４４】
このような、繰出しリールと転写ヘッドの間において、転写テープの捻転前後の中点を結んだ中央線が、繰出しリールの回転平面内にあり、かつ、転写ヘッドの中心軸を含む、繰出しリールの回転平面に対して垂直な平面内にあるように、転写テープと繰出しリールと転写ヘッドのを配置していると、捻転前、捻転後、そして転写ヘッドで転写されるまで転写テープが動いても、転写テープの幅方向の中点が、繰出しリールの回転平面に対して垂直な平面内に存在していることになる。このことによって、転写テープが捻転していても、安定して転写テープが動き、安定した転写が可能となっている。なお説明の繰り返しになるが、ここでも転写ヘッドの中心軸が転写ヘッドの剥離部稜線と直交していることは重要な要素である。
【実施例３】
【００４５】
図６の構成では、長く使用していくと、繰出しリール１１から転写テープが繰り出され、繰出しリール１１上の転写テープが減少していって、中央線５が図６において同じ位置を維持していくための機構、例えば繰出しリール１１が図６の図面に対して下方向へ移動するような機構が必要となる。このような機構は、構造が複雑になり、複雑になるだけ価格に影響が出るので、商品化には問題になる。そこで、実施例２のような構成を維持したまま、複雑にならず、価格にも影響が出にくいものとして、次のようなシンプルな構成を見出した。
【００４６】
図７が、その主要な構成を表わした図であり、繰出しリール１１、転写テープ、２つのガイドローラ（２０と１８）、転写ヘッド１２、２つのガイドピン（１９と２１）、巻取りリール１３を表わしている。なお、図３と同様に、これら以外の塗膜転写具に使用される部材は省略している。
【００４７】
繰出しリール１１から繰り出された転写テープは、繰出しリール１１と転写ヘッド１２の間において直交する空間位置関係に配置している２つのガイドローラ（２０と１８）にて９０度捻転しており、図面上では転写テープ背面１５が捻転しており、転写ヘッド１２に近い方のガイドローラ１８にて傾斜して、転写ヘッド１２へ導かれている。
【００４８】
転写ヘッド１２にて塗膜が剥離し転写された後のテープ基材１６は、転写ヘッド１２に近い方のガイドピン１９にて傾斜して、転写ヘッド１２と巻取りリール１３の間において直交する空間位置関係に配置している２つのガイドピン（１９と２１）にて９０度捻転しており、図面上ではテープ基材１６からねじれてテープ基材背面１７が現れており、巻取りリール１３へ導かれている。
【００４９】
図８は、図７を、図１における塗膜転写具のケース１の枠と共に、横（図１においてＢから見た方向）から表わしたものである。ここで、転写ヘッドを突設させるための塗膜転写具のケース穴２は省略している。
【００５０】
図８においても、転写ヘッド１２の剥離部稜線６と直交する転写ヘッド１２の中心軸３が繰出しリール１１の回転平面４に対して傾斜している配置であって、塗膜転写具のケース１から突設している。
【００５１】
図９は、図７を、図１における塗膜転写具のケース１の枠と共に、上（図１においてＣから見た方向）から表わしたものである。
【００５２】
図９においても、繰出しリール１１と転写ヘッド１２の間において、転写テープの捻転前における転写テープの幅方向の中点と、転写テープの捻転後における転写テープの幅方向の中点とを結んだ中央線５が、繰出しリール１１の回転平面（図９の図面）内にあり、かつ、転写ヘッド１２の中心軸を含む、繰出しリール１１の回転平面に対して垂直な平面（中央線５の二点破線と同一）内にあるように、転写テープと繰出しリール１１と転写ヘッド１２を配置している。
【００５３】
図９での転写テープの捻転前とは、ガイドローラ２０から転写テープが離れた始めた部分のことであり、図９での転写テープの捻転後とは、ガイドローラ１８に転写テープが触れ始めた部分のことである。図面上では転写テープ背面１５が、ガイドローラ２０から離れ、ガイドローラ１８に触れている。
【００５４】
図９における中央線５は、図８における繰出しリール１１を横切っている一点破線４と同一である。それゆえ、中央線５は、転写テープが離れた始めたガイドローラ２０における転写テープの幅方向の中点（転写テープの捻転前における転写テープの幅方向の中点）を含んでいる。
【００５５】
また、図９では、捻転後のガイドローラ１８に転写テープが触れ始めた部分は、塗膜剥離後のテープ基材１６の背後に、ほとんど隠れている。それゆえ、図９ではわかりにくいが、中央線５は、転写テープが触れ始めたガイドローラ１８における転写テープの幅方向の中点（転写テープの捻転後における転写テープの幅方向の中点）を含んでいる。
【００５６】
このようなシンプルな構成で、長く使用して繰出しリール１１上の転写テープが減少していっても、中央線５が同じ位置を維持していくことができることを見出した。また、ガイドローラ２０とガイドピン２１を配置することにより、繰出しリール１１と巻取りリール１３の配置の自由度が増し、図６と図９を比較して見ればわかるように、繰出しリールに長尺の転写テープを巻くことが可能となり、これ以前の構成よりも長尺の転写テープを転写することができるようになった。
【００５７】
テープガイドをガイドローラにするかガイドピンにするか、また、テープガイドに接する転写テープの面を塗膜面にするかその反対の背面にするかという、これらの組み合わせの数だけ選択数があるが、これらの組み合わせの中で、明確な理由はわからないが、下記の組み合わせが一番安定して長尺の転写テープを転写をすることができた。図７においても、この関係の配置で表わしているので、図７でそれを説明する。
【００５８】
図７において、繰出しリール１１と転写ヘッド１２の間に配置した２つのガイドローラ（２０と１８）に対しては、転写テープの塗膜面が接しており、転写ヘッド１２と巻取りリール１３との間に配置した２つのガイドピン（１９と２１）に対しては、塗膜剥離後の面とは反対のテープ基材背面１７が接している。既に説明しているが、転写テープの塗膜面とは反対の転写テープ背面１５とテープ基材背面１７は網点模様で表わしている。
【００５９】
明確な理由はわからないものの、転写前においては、転写テープの塗膜面とガイドローラが接することにより、捻転や傾斜による塗膜への不具合が発生しにくいのではないかと推測している。転写後においては、転写テープの背面とガイドピンが接することにより、適度な抵抗がかかり、巻取りリールへの巻き取りが安定するのではなないかと、また、塗膜剥離後の塗膜面ではないため、剥離されずに残った塗膜などでガイドピンにひっかかることがなく、長尺の転写テープを転写し続けても、このような不具合を起こしにくいのではないかとも推測している。
【００６０】
図５や図８の傾斜角度８は、角度が２０度より小さくなると、これまでの塗膜転写具と変わらなくなり、塗膜転写具を上から軽く握るような持ち方ができない。角度が７０度より大きくなり９０度に近くなると、傾斜がきつくなって、塗膜に影響が出る。例えば、転写前に転写テープの塗膜がはがれやすくなるという問題が起こりやすくなる。このため、繰出しリール１１の回転平面４に対する転写ヘッド１２の中心軸３の傾斜角度８が、２０〜７０度の範囲であることが好ましい。
【産業上の利用可能性】
【００６１】
このように本発明の塗膜転写具によって、初めて手にした人であっても、安定した転写が可能となった。これにより、どんな塗膜であっても、これまでより転写しやすくなった。塗膜がのりであるような『テープのり』の場合は、転写したものにそれほど気を使わなくても良いが、誤字の修正であるような『修正テープ』の場合は、きっちりと誤字の上に転写されなくてはならない。また、上記背景技術でも説明した、塗膜に文字や絵柄などを施したものになると、さらにきっちりと転写させる必要がある。今後さらに塗膜に機能性や付加価値を持たせて、きっちりとした転写が必要となる塗膜であっても、この塗膜転写具により、練習や慣れの必要がなく、安定して転写することができるであろう。
【図面の簡単な説明】
【００６２】
【図１】本発明の塗膜転写具の例を、斜め上方より表わしたもの。
【図２】本発明の塗膜転写具の例を、斜め下方より表わしたもの。
【図３】本発明請求項１の主要な構成を表わした例。
【図４】転写ヘッドの中心軸の説明図。
【図５】図３を塗膜転写具のケースの枠と共に横から表わしたもの。
【図６】図３を塗膜転写具のケースの枠と共に上から表わしたもの。
【図７】本発明請求項３の主要な構成を表わした例。
【図８】図７を塗膜転写具のケースの枠と共に横から表わしたもの。
【図９】図７を塗膜転写具のケースの枠と共に上から表わしたもの。
【符号の説明】
【００６３】
１    塗膜転写具のケース
２    転写ヘッドを突設させるための塗膜転写具のケース穴
３    転写ヘッドの中心軸（破線）
４    繰出しリールの回転平面（一点破線）
５    捻転前後において転写テープの幅方向の中点を結んだ中央線（二点破線）
６    転写ヘッドの剥離部稜線
７    転写ヘッド支軸
８    傾斜角度（実線円弧）
１１  繰出しリール
１２  転写ヘッド
１３  巻取りリール
１４  転写テープ（塗膜が形成された面）
１５  転写テープ背面
１６  テープ基材（塗膜剥離後の面）
１７  テープ基材背面
１８  転写ヘッドに近い方のガイドローラ
１９  転写ヘッドに近い方のガイドピン
２０  ガイドローラ１８と直交する空間位置関係に配置しているガイドローラ
２１  ガイドピン１９と直交する空間位置関係に配置しているガイドピン
【図１】
2008290257.tif 000003
【図２】
2008290257.tif 000004
【図３】
2008290257.tif 000005
【図４】
2008290257.tif 000006
【図５】
2008290257.tif 000007
【図６】
2008290257.tif 000008
【図７】
2008290257.tif 000009
【図８】
2008290257.tif 000010
【図９】
2008290257.tif 000011